(57)【要約】【課題】日送り機構と月送り機構を薄く構成することができるカレンダ機構付き時計を提供する。【解決手段】本発明のカレンダ機構付き時計において、日車（２２０）は、月末に月送りレバー（２７０）を駆動するとともに、小の月の月末に日車（２２０）を送るための月末歯（２８８）を含む。月車（２４０）は、小の月の月末に小の月月末送りレバー（２８２）を作動させるための月カム（２４８）を含む。小の月月末送りレバー（２８２）は、小の月の月末に、日回し車（２１０）の回転と月カム（２４８）の回転に基づいて日車（２２０）を１日分送ることができる。月送りレバー（２７０）は、月末に日車（２２０）の回転に基づいて月車（２４０）に向かって移動し、月車（２４０）を１月分送ることができる。【選択図】図１
2010127822.tif 000002
【特許請求の範囲】
【請求項１】
月車と日車を備えたカレンダ機構付き時計において、
日を表示する日車（２２０）と、
日車（２２０）の回転に基づいて回転して月を表示する月車（２４０）と、
２４時間に１回転するように構成された日回し車（２１０）と、
日回し車（２１０）の回転に基づいて、日車（２２０）を回転させることができるように構成された日送り爪（２１２）と、
日回し車（２１０）の回転および月車（２４０）の回転に基づいて、日車（２２０）を回転させることができるように構成された小の月月末送りレバー（２８２）とを備え、
日車（２２０）は、日文字（２２３）を設けた日表示面部（２２４）と、日送り爪（２１２）の日送り部（２１３）に接触する日車歯部（２２６）と、月末に日車（２２０）を送るための月末歯（２８８）とを含むように構成され、
月車（２４０）は、月文字（２４３）を設けた月表示面部（２４４）と、小の月の月末に小の月月末送りレバー（２８２）を作動させるための月カム（２４８）とを含むように構成され、
日車（２２０）の月末歯（２８８）は、日文字（２２３）による表示が月末であるときに小の月月末送りレバー（２８２）と接触できるように配置され、
小の月月末送りレバー（２８２）は、小の月の月末に、日回し車（２１０）の回転および月カム（２４８）の回転に基づいて日車（２２０）を１日分送ることができるように構成され、
さらに、日車（２２０）の回転に基づいて移動して月車（２４０）を回転させることができるように構成された月送りレバー（２７０）を備え、月送りレバー（２７０）は、月末に月車（２４０）を送ることができるように構成される、
ことを特徴とするカレンダ機構付き時計。
【請求項２】
月送りレバー（２７０）は、日車（２２０）の回転に基づいて月車（２４０）に向かって移動し、月送りレバー（２７０）ばね部のばね力により元の位置に戻されるように構成されることを特徴とする、請求項１に記載のカレンダ機構付き時計。
【請求項３】
小の月月末送りレバー（２８２）は、小の月の月末に日車（２２０）を送るための月末送り爪（２８６）を含み、月末歯（２８８）は、日車（２２０）の表示が「３０日」であるときを検出するために設けられ、月末歯（２８８）は、日車（２２０）の内側壁部（２２１）に設けられ、日車（２２０）の月末歯（２８８）は、日文字（２２３）による表示が月末であるときに小の月月末送り爪（２８６）と接触できるように配置されることを特徴とする、請求項１に記載のカレンダ機構付き時計。
【請求項４】
小の月月末送りレバー（２８２）は、日送り爪（２１２）の上側に配置され、日回し車（２１０）の回転中心に対して移動可能なように構成されることを特徴とする、請求項１に記載のカレンダ機構付き時計。
【請求項５】
月末歯（２８８）は、日表示面部（２２４）よりも日車歯部（２２６）に近い側において、日表示面部（２２４）よりも内側に配置される、請求項１に記載のカレンダ機構付き時計。
【請求項６】
日回し車（２１０）はレバー駆動ピン（２１１）を有し、小の月月末送りレバー（２８２）は、レバー駆動ピン（２１１）により回転され、かつ、月車（２４０）の回転に基づいて月末歯（２８８）に対して移動可能なように構成されることを特徴とする、請求項１に記載のカレンダ機構付き時計。
【請求項７】
小の月月末送りレバー（２８２）は、１枚の板状の形状であることを特徴とする、請求項１に記載のカレンダ機構付き時計。
【請求項８】
月末歯（２８８）は、日車（２２０）に１箇所のみ設けられ、月末歯（２８８）により、小の月の月末の日送り作動と、月車（２４０）を送る作動が可能なように構成されていることを特徴とする、請求項１に記載のカレンダ機構付き時計。
【発明の詳細な説明】
【技術分野】
【０００１】
本発明は、月車と日車を備えたカレンダ機構付き時計に関する。特に、本発明は、時計の内側に配置された月車により月を表示し、月車の外側に配置された日車により日を表示して、２月以外の月末に日車の表示を修正する必要がないように構成したカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００４】
従来の第一タイプのカレンダ機構付き時計は、日板の１日目を検出するための１日目凹部と、日板の３０日目を検出するための３０日目凹部とが、日回し車の回転軸方向について、日板の内径上に同一の階層に形成されている。日送り爪と、月送り爪が日回し車に設けられている。１日検出レバーの１日検出部によって１日を検出し、月送り制御装置の月送り規制部によって月送り爪を制御し、１日以外は月送りしないようになっている。１日になると、月送り爪により月板を送る。大月の場合、小月検出レバーが日送り爪を規制して、日送り爪により日板を１日しか送らないようになっている。小月の場合、小月検出レバーは反時計方向に回転可能となり、日送り爪により日板の２歯を順次送ることができるようになっている。３０日検出レバーが３０日目凹部に係合して３０日を検出し、小月検出レバーが小月を同時に検出した時のみ、日送り爪により日板の歯を２歯送るようになっている（例えば、特許文献１参照）。
【０００５】
従来の第二タイプのカレンダ機構付き時計では、日送り爪が接触する歯部と、日板の３０日目を検出するための３０日目凹部と、日板の１日目を検出するための１日目凹部とが、日回し車の回転軸方向について、日板の内径上に異なる階層に段階的に形成されている（例えば、特許文献２参照）。
【０００６】
従来の第三タイプのカレンダ機構付き時計では、日表示部材に切り欠き部を設け、日表示部材が特定の位置にあるときにのみ、切り欠き部より月表示を行うように構成されている（例えば、特許文献３参照）。
【０００７】
従来の第四タイプのカレンダ機構付き時計は日付駆動歯車セットを備え、年歯車は、１年の月数の２倍である２４枚の歯を有し、中間歯車は、年歯車に噛み合う第１歯車と、第１歯車と同軸に配置固定された第２歯車とを有し、第２歯車は、各月の終わりに、日リングの第２ステ−ジの内側に配列された突起に噛み合うように構成されている（例えば、特許文献４参照）。
【０００８】
【特許文献１】特許第２６５１１５０号公報
【特許文献２】特開２００５−１９５３７０号公報
【特許文献３】特開昭５４−７３６６７号公報
【特許文献４】特開２００６−１６２６１１号公報
【発明の開示】
【発明が解決しようとする課題】
【０００９】
従来の第一タイプのカレンダ機構付き時計では、日板の１日目凹部と、日板の３０日目凹部とが、同一の階層に形成されているので、３０日検出部が、日板の両方の凹部をも検出して、カレンダ機構の作動が不安定となる課題があった。また、この構造では、３つの制御レバー、すなわち、１日検出レバー、小月検出レバーおよび３０日検出レバーを日板と月板との間に配置しているので、カレンダ機構の構造が複雑であり、かつ、時計の小型化が難しいという課題があった。
【００１０】
従来の第二タイプのカレンダ機構付き時計では、３０日目検出レバーに係合する日板の３０日目凹部と、１日目検出レバーに係合する日板の１日目凹部は、ムーブメントの厚さ方向において異なる階層に形成されているので、日板の厚さが増えて、ムーブメントの厚さが厚くなるという課題があった。
【００１１】
従来の第三タイプのカレンダ機構付き時計では、日表示部材の切り欠き部より月表示を行うので、月表示が小さくて見にくいという課題があった。また、この構造では、特定の日にしか月表示が見えないという課題があった。
【００１２】
従来の第四タイプのカレンダ機構付き時計では、日付駆動歯車セットの構造が複雑であり、かつ、時計の小型化・薄型化が難しいという課題があった。また、この構造では、月表示が小さくて見にくいという課題があった。
【００１３】
本発明の目的は、日送り機構および月送り機構を薄く小型に構成して、ムーブメントの厚さを薄く形成することができるカレンダ機構付き時計を提供することにある。
本発明の他の目的は、日送り機構および月送り機構の構造が簡単であって、作動が安定しているカレンダ機構付き時計を提供することにある。
本発明の他の目的は、月表示が大きく見やすい構造であって、２月以外の月末に日車の表示を修正する必要がないように構成したオートカレンダ機構付き時計を提供することにある。
【課題を解決するための手段】
【００１４】
本発明は、月車と日車を備えたカレンダ機構付き時計において、
日を表示する日車と、
日車の回転に基づいて回転して月を表示する月車と、
２４時間に１回転するように構成された日回し車と、
日回し車の回転に基づいて、日車を回転させることができるように構成された日送り爪と、
日回し車の回転および月車の回転に基づいて、日車を回転させることができるように構成された小の月月末送りレバーとを備え、
日車は、日文字を設けた日表示面部と、日送り爪の日送り部に接触する日車歯部と、月末に日車を送るための月末歯とを含むように構成され、
月車は、月文字を設けた月表示面部と、小の月の月末に小の月月末送りレバーを作動させるための月カムとを含むように構成され、
日車の月末歯は、日文字による表示が月末であるときに小の月月末送りレバーと接触できるように配置され、
小の月月末送りレバーは、小の月の月末に、日回し車の回転および月カムの回転に基づいて日車を１日分送ることができるように構成され、
さらに、日車の回転に基づいて移動して月車を回転させることができるように構成された月送りレバーを備え、月送りレバーは、月末に月車を送ることができるように構成される、ことを特徴としている。
【００１５】
この構成により、ムーブメントの厚さが薄いカレンダ機構付き時計を実現することができる。この構成により、日送り機構および月送り機構の作動が安定しているカレンダ機構付き時計を実現することができる。また、この構成により、通常の日送り時に余計な負荷が伝達輪列にかからないように構成することができる。
【００１６】
本発明のカレンダ機構付き時計では、月送りレバーは、日車の回転に基づいて月車に向かって移動し、月送りレバーばね部のばね力により元の位置に戻されるように構成されるのが好ましい。この構成により、日送り機構および月送り機構の作動が安定しているカレンダ機構付き時計を実現することができる。
【００１７】
本発明のカレンダ機構付き時計では、小の月月末送りレバーは、小の月の月末に日車を送るための月末送り爪を含み、月末歯は、日車の表示が「３０日」であるときを検出するために設けられ、月末歯は、日車の内側壁部に設けられ、日車の月末歯は、日文字による表示が月末であるときに小の月月末送り爪と接触できるように配置されるのが好ましい。この構成により、日送り機構および月送り機構の作動が安定しているカレンダ機構付き時計を実現することができる。
【００１８】
本発明のカレンダ機構付き時計では、小の月月末送りレバーは、日送り爪の上側に配置され、日回し車の回転中心に対して移動可能なように構成されるのが好ましい。この構成により、ムーブメントの厚さが薄いカレンダ機構付き時計を実現することができる。
【００１９】
本発明のカレンダ機構付き時計では、月末歯は、日表示面部よりも日車歯部に近い側において、日表示面部よりも内側に配置されるのが好ましい。この構成により、ムーブメントの厚さが薄いカレンダ機構付き時計を実現することができる。
【００２０】
本発明のカレンダ機構付き時計では、日回し車はレバー駆動ピンを有し、小の月月末送りレバーは、レバー駆動ピンにより回転され、かつ、月車の回転に基づいて月末歯に対して移動可能なように構成されるのが好ましい。本発明のカレンダ機構付き時計では、小の月月末送りレバーは、１枚の板状の形状であるのが好ましい。本発明のカレンダ機構付き時計では、月末歯は、日車に１箇所のみ設けられ、月末歯により、小の月の月末の日送り作動と、月車を送る作動が可能なように構成されるのが好ましい。この構成により、日送り機構および月送り機構の作動が安定しているカレンダ機構付き時計を実現することができる。
【００２１】
次に、本発明のカレンダ機構付き時計において、典型的な表示状態における作用を説明する。本発明のカレンダ機構付き時計では、「大の月」の「３０日」を表示している状態において、月の表示は「１０月」に対応する「ＯＣＴ」である。日回し車が回転すると、日送り爪の日送り部は、日車の１つの歯に接触し、小の月月末送りレバーの小の月月末送りカムは、月星車の月カムと接触しない。さらに日回し車が回転すると、日送り爪がさらに回転して、日車を１歯だけ一定の方向に送る。日送り爪は日車を１歯だけ一定の方向に送り、日の表示は「３１日」に変わる。日車の月送り歯は月送りレバーの爪部に接触しないか、或いは、日車の月送り歯は月送りレバーの爪部に接触するが、月送りレバーの月送り部は月星車の月星車歯部とは接触しないので、「大の月」の「３０日」を表示している状態から「３１日」を表示する状態に変わるとき、月送りは行なわれないので、月の表示は変わらないで「ＯＣＴ」のままである。「１０月」以外の「大の月」における作動は、「１０月」の作動と同様である。
【００２２】
また、本発明のカレンダ機構付き時計では、「小の月」の「３０日」を表示している状態において、月の表示は「１１月」に対応する「ＮＯＶ」である状態において、日車の回転に基づいて「小の月」を検出し、同時に、「３０日」を検出する。小の月月末送りレバーの小の月月末送りつめは、日車の月末歯を送り、日車の月末歯は、月送りレバーに近づくように回転する。さらに日回し車２１０が回転すると、日の表示は「３１日」に変わる。さらに日回し車が回転すると、日送り爪がさらに回転して、日車の歯を１歯だけ一定の方向に送ることができる。日車の月末歯は月送りレバーを月星車に向かって移動させる。月送りレバーが月星車に向かって移動することにより、月星車の月星車歯部を１歯だけ一定の方向に送ることができる。したがって、日の表示は「１日」に変わり、月の表示は「ＤＥＣ」に変わる。「１１月」以外の「小の月」の月末における作動は、「１１月」の月末における作動と同様である。
【００２３】
以上説明したように、本発明のカレンダ機構付き時計では、小の月においては、日車に設けた月末歯の作用により、月末に日送りを行い、日車に設けた月末歯の作用により、月送りレバーを月星車に向かって移動させて月送りを行うことができる。したがって、本発明により、この構成により、ムーブメントの厚さが薄いカレンダ機構付き時計を実現することができ、また、通常の日送り時に余計な負荷が伝達輪列にかからないように構成したカレンダ機構付き時計を実現することができる。
【発明の効果】
【００２４】
本発明のカレンダ機構付き時計は、日送り機構および月送り機構が薄く小型である。また、本発明のカレンダ機構付き時計は、日送り機構および月送り機構の構造が簡単であり、作動が安定している。また、本発明のカレンダ機構付き時計は、通常の日送り時に余計な負荷が伝達輪列にかからないように構成することができる。さらに、本発明のカレンダ機構付き時計は、月表示が大きく見やすく、かつ、２月以外の月末に日車の表示を修正する必要がない。
【発明を実施するための最良の形態】
【００２５】
以下に、本発明のカレンダ機構付き時計の実施の形態を図面に基づいて説明する。以下に説明する本発明の実施形態は、カレンダ機構付き時計を機械式時計で構成したときの実施形態である。以下の説明は、本発明のカレンダ機構付き時計を機械式時計に適用した構成について説明しているけれども、本発明は、機械式時計だけでなく、アナログ電子時計にも適用することができる。すなわち、本明細書における「カレンダ機構付き時計」という概念は、「機械式時計」も含み、「アナログ電子時計」も含み、かつ、他のすべての作動原理のアナログ時計も含む概念である。
【００２６】
（１）ムーブメントの全体構成：
図１から図４および図２７を参照すると、ムーブメント１００は機械式時計で構成される。ムーブメント１００は、ムーブメント１００の基板を構成する地板１０２を含む。文字板１０４がムーブメント１００のガラス側に取付けられる。巻真１１０が、地板１０２に回転可能に組み込まれる。切換装置は、巻真１１０と、おしどり１２０と、かんぬき１２２と、かんぬき押え１２４とを含む。規正装置は、てんぷ規正レバー１７０と、てんぷ規正ピン１７０Ａとを含む。てんぷ規正ピン１７０Ａは、てんぷ規正レバー１７０に固定するのがよい。
【００２７】
（２）ムーブメントの表側の構成：
次に、ムーブメントの表側の構成について説明する。図２から図４および図２７を参照すると、ムーブメント（機械体）１００は、ムーブメントの基板を構成する地板１０２を有する。ムーブメントの「３時方向」には、巻真１１０が配置されている。巻真１１０が、地板１０２の巻真案内穴に回転可能に組み込まれる。文字板１０４がムーブメント１００に取付けられる。てんぷ３４０、がんぎ車３３０、アンクル３４２を含む脱進・調速装置と、四番車４４２、三番車３２６、二番車３２５、香箱車３２０を含む表輪列は、ムーブメント１００の「表側」に配置される。おしどり、かんぬき、かんぬき押さえを含む切換装置は、ムーブメント１００の「裏側」に配置される。さらに、香箱車３２０の上軸部を回転可能なように支持する香箱受（図示せず）と、三番車３２６の上軸部、四番車４４２の上軸部、がんぎ車３３０の上軸部を回転可能なように支持する輪列受（図示せず）と、アンクル３４２の上軸部を回転可能なように支持するアンクル受（図示せず）と、てんぷ３４０の上軸部を回転可能なように支持するてんぷ受（図示せず）とが、ムーブメント１００の「表側」に配置される。
【００２８】
丸穴車（図示せず）が、きち車１１６の回転により回転するように構成される。丸穴伝え車（図示せず）が、丸穴車の回転により回転するように構成される。揺動丸穴車（図示せず）が、丸穴伝え車の回転により回転するように構成される。角穴車（図示せず）が、揺動丸穴車の回転により回転する。香箱車３２０は、香箱歯車と、香箱真と、ぜんまいとを備える。角穴車が回転することにより、香箱車３２０に収容されたぜんまいを巻き上げるように構成される。
【００２９】
二番車３２５が、香箱車３２０の回転により回転するように構成される。二番車３２５は二番歯車と、二番かなとを含む。香箱歯車は二番かなと噛み合うように構成される。三番車３２６が二番車３２５の回転により回転するように構成される。三番車３２６は三番歯車と、三番かなとを含む。四番車４４２が、三番車３２６の回転により１分間に１回転するように構成される。四番車４４２は四番歯車と、四番かなとを含む。三番歯車は四番かなと噛み合うように構成される。四番車４４２の回転により、がんぎ車３３０は、アンクル３４２に制御されながら回転するように構成される。がんぎ車３３０は、がんぎ歯車と、がんぎかなとを含む。四番歯車は、がんぎかなと噛み合うように構成される。分車４４６が、香箱車３２０の回転により回転するように構成される。香箱車３２０、二番車３２５、三番車３２６、四番車４４２、分車４４６は表輪列を構成する。表輪列の回転を制御するための脱進・調速装置は、てんぷ３４０と、がんぎ車３３０と、アンクル３４２とを含む。がんぎ車３３０と、アンクル３４２と、てんぷ３４０は脱進・調速装置を構成する。てんぷ３４０は、てん真と、てん輪と、ひげぜんまいとを含む。ひげぜんまいは、複数の巻き数をもったうずまき状（螺旋状）の形態の薄板ばねである。てんぷ３４０は、地板１０２及びてんぷ受に対して回転可能なように支持される。
【００３０】
香箱車３２０、地板１０２及び香箱受に対して回転可能なように支持される。二番車３２５は、地板１０２及び二番受（図示せず）に対して回転可能なように支持される。三番車３２６の下軸部、がんぎ車３３０の下軸部は、地板１０２に対して、回転可能に支持される。三番車３２６の上軸部、四番車４４２の上軸部、がんぎ車３３０の上軸部は、輪列受（図示せず）に対して、回転可能に支持される。分車４４６は、二番受（図示せず）に固定された中心パイプ１０３の外径部に回転可能に支持される。四番車４４２の下軸部は、二番受（図示せず）に固定された中心パイプ１０３の中心穴の中に回転可能に支持される。アンクル３４２は、地板１０２及びアンクル受３６４に対して回転可能なように支持される。アンクル３４２の上軸部は、アンクル受３６４に対して回転可能なように支持される。アンクル３４２の下軸部は、地板１０２に対して、回転可能に支持される。
【００３１】
分車４４６の回転に基づいて日の裏車１６６が回転するように構成される。日の裏車１６６の回転に基づいて筒車１８０が回転するように構成される。二番車３２５の回転により、三番車３２６の回転を介して、四番車４４２は１分間に１回転するように構成される。筒車１８０は１時間に１回転するように構成される。スリップ機構が分車４４６に設けられる。
【００３２】
（３）切換装置の構成：
次に、ムーブメントの表側の構成について説明する。図１から図４を参照すると、巻真１１０は角部と、案内軸部とを有する。つづみ車１１４の角穴が巻真１１０の角部に組み込まれる。つづみ車１１４は巻真１１０の回転軸線と同一の回転軸線を有する。つづみ車１１４の角穴が巻真１１０の角部に嵌め合うことにより、巻真１１０の回転に基づいてつづみ車１１４が回転するように設けられている。つづみ車１１４は甲歯１１４Ａと、乙歯１１４Ｂとを有する。甲歯１１４Ａはムーブメントの中心に近い方のつづみ車１１４の端部に設けられる。乙歯１１４Ｂはムーブメントの中心から遠い方のつづみ車１１４の端部に設けられる。
【００３３】
きち車１１６が巻真１１０の案内軸部に回転可能に設けられる。きち車１１６は内側歯１１６Ａと、外側歯１１６Ｂとを有する。巻真１１０が、回転軸線方向に沿ってムーブメントの内側に一番近い方の第１の巻真位置（０段目）にある状態で、つづみ車１１４の乙歯１１４ｂは、きち車１１６の内側歯１１６Ａと噛み合っている。この状態では、巻真１１０を回転させると、つづみ車１１４の回転を介してきち車１１６が回転するように構成されている。巻真１１０が「１段目」及び「２段目」にある状態で、つづみ車１１４の乙歯１１４Ｂは、きち車１１６の内側歯１１６Ａと噛み合わないように構成されている。
【００３４】
おしどり１２０が地板１０２の裏側に回転可能に配置される。かんぬき１２２が地板１０２の裏側に回転可能に配置される。かんぬき１２２は、かんぬきばね部１２２Ａのばね力により、おしどり１２０の先端部に押し付けられるように付勢されている。かんぬき押さえ１２４がおしどり１２０及びかんぬき１２２を押さえるように設けられる。おしどり１２０に設けられたおしどり位置決めピンがかんぬき押さえ１２４のおしどり位置きめ山形部に係合し、かんぬき押さえ１２４により、おしどり１２０は、３つの回転方向の位置に位置決めされる。
【００３５】
おしどり１２０の巻真案内部が巻真１１０の段部１１０ｃに係合して、おしどり１２０の回転に基づいて巻真１１０の回転軸線方向の位置を決める。かんぬき１２２のつづみ車案内部がつづみ車１１４の段部に係合して、かんぬき１２２の回転に基づいてつづみ車１１４の回転軸線方向の位置を決める。おしどり１２０の回転に基づいて、かんぬき１２２は２つの回転方向の位置に位置決めされる。
【００３６】
巻真１１０が「０段目」にある状態では、つづみ車１１４はムーブメントの外側に近い方の第１の位置にあり、巻真１１０が「１段目」及び「２段目」にある状態で、つづみ車１１４はムーブメントの内側に近い第２の位置にあるように構成されている。
【００３７】
おしどり１２０、かんぬき１２２及びかんぬき押さえ１２４は、時計の切換装置を構成する。おしどり１２０及びかんぬき押さえ１２４のおしどり位置決め山形部は、巻真１１０の回転軸線方向の位置を決める巻真位置決め手段を構成する。かんぬき１２２は、おしどり１２０及びかんぬき押さえ１２４の作動に基づいて作動するつづみ車位置決め手段を構成する。
【００３８】
小鉄車１２８の回転中心を構成する小鉄車ピン１０２Ｃが、地板１０２の裏側で巻真１１０の回転軸線上に設けられる。小鉄車１２８が小鉄車ピン１０２Ｃに回転可能に組み込まれる。小鉄車１２８は、巻真１１０が「０段目」にある状態でつづみ車１１４の甲歯１１４Ａと噛み合わず、巻真１１０が「１段目」及び「２段目」にある状態で、つづみ車１１４の甲歯１１４Ａと噛み合うように構成される。
【００３９】
（４）修正装置の構成：
切換レバー１３０が、小鉄車ピン１０２Ｃを回転中心として揺動可能に設けられる。切換レバー止め枠１３６が、小鉄車ピン１０２Ｃの頂部に嵌められる。切換レバー止め枠（図示せず）は、切換レバー１３０を揺動可能に保持するために設けられる。切換レバー止め枠を小鉄車ピン１０２Ｃの頂部に固着してもよいし、或いは、切換レバー止め枠を小鉄車ピン１０２Ｃの頂部に配置してもよい。
【００４０】
切換レバー１３０は、小鉄車ピン１０２Ｃの一方の側、すなわち、基準軸線１１２より１時方向の方に配置された切換レバー第１部分１３０Ａと、小鉄車ピン１０２Ｃの他方の側、すなわち、基準軸線１１２より５時方向の方に配置された切換レバー第２部分１３０Ｂとを含む。切換レバー１３０はおしどり係合部１３０Ｅを有する。切換レバー１３０のおしどり係合部１３０Ｅを、弾性変形可能なばね部として構成するのがよい。
【００４１】
第１修正伝え車１３２が切換レバー第１部分１３０Ａに回転可能に取付けられる。第２修正伝え車１３４が切換レバー第１部分１３０Ａに回転可能に取付けられる。第１修正伝え車１３２は、小鉄車１２８及び第２修正伝え車１３４と噛み合っている。第１修正伝え車１３２は第１修正伝え車軸部（図示せず）を有する。
【００４２】
第２修正伝え車１３４は第２修正伝え車軸部（図示せず）を有する。切換レバー位置決め穴（図示せず）が地板１０２に設けられる。第２修正伝え車軸部は切換レバー位置決め穴の中に配置される。切換レバー１３０の回転方向の位置は、第２修正伝え車軸部が切換レバー位置決め穴の円筒壁面に当接することにより決定される。従って、第１修正伝え車１３２及び第２修正伝え車１３４は、巻真１１０が第２の巻真位置（１段目）にあるときに、小鉄車１２８の回転に基づいて日車２２０及び月車２４０の表示内容を修正するための、切換レバー１３０に設けられた第１の修正輪列を構成する。
【００４３】
第１の修正輪列を構成する修正伝え車の数は、２個であるのが好ましいが、１個であってもよいし、或いは、３個以上であってもよい。第３修正伝え車１４０が地板１０２に回転可能に設けられる。揺動レバー１４２が第３修正伝え車に対して揺動可能に設けられる。揺動レバー１４２は、一定のスリップトルクを超えたときに、第３修正伝え車１４０が揺動レバー１４２に対してスリップすることができるように、第３修正伝え車１４０に取付けられている。本発明の実施の形態では、このスリップトルクが、１ｇ・ｃｍから２ｇ・ｃｍになるように構成するのがよい。
【００４４】
修正車１４４が揺動レバー１４２に回転可能に設けられる。修正車１４４は、修正かな（図示せず）と、修正歯車（図示せず）と、修正車軸部（図示せず）とを有する。第３修正伝え車１４０は、第２修正伝え車１３４及び修正かなと噛み合っている。揺動レバー位置決め穴（図示せず）が地板１０２に設けられる。修正車軸部は揺動レバー位置決め穴の中に配置される。揺動レバー１４２の回転方向の位置は、修正車軸部が揺動レバー位置決め穴の円筒壁面に当接することにより決定される。
【００４５】
日を表示する日表示部材を構成する日車２２０が、地板１０２に回転可能に組み込まれる。日車２２０は３１枚の日車歯を有し、日送り機構（後述する）により回転する。日車２２０の回転方向の位置は日ジャンパ２６０により決められている。日車押さえ２６４が日車２２０を保持している。
【００４６】
月を表示する月表示部材を構成する月車２４０が設けられる。月車２４０は１２枚の歯をもった月星車２４７を有し、月車２４０は月送り機構（後述する）により回転する。月車２４０の回転方向の位置は月ジャンパ２６２により決められている。月修正車１５８が回転可能に組み込まれる。月修正車１５８は月星車２４７と噛み合っている。
【００４７】
第１日の裏中間車１６０が切換レバー第２部分１３０Ｂに回転可能に取付けられる。第２日の裏中間車１６２が切換レバー第２部分１３０Ｂに回転可能に取付けられる。第１日の裏中間車１６０は、小鉄車１２８及び第２日の裏中間車１６２と噛み合っている。日の裏車１６６が「第２領域」に配置される。
【００４８】
第１日の裏中間車１６０及び第２日の裏中間車１６２は、巻真１１０が第３の巻真位置（２段目）にあるときに、小鉄車１２８の回転に基づいて日の裏車１６６を回転させて時刻表示部材の表示内容を修正するための、切換レバー１３０に設けられた第２の修正輪列を構成する。第２の修正輪列を構成する日の裏中間車の数は、２個であるのが好ましいが、１個であってもよいし、或いは、３個以上であってもよい。
【００４９】
（５）規正装置の構成：
切換装置の作動に基づいて作動して時刻表示部材の作動を規正するためのてんぷ規正レバー１７０が、かんぬき１２２の回転中心を中心として回転可能なように設けられる。巻真１１０が０段目及び１段目にあるときには、おしどり１２０により、てんぷ規正レバー１７０は時計回り方向に回転され、てんぷ規正レバー１７０の切換レバー当接部（図示せず）が第１修正伝え車軸部に当たって位置決めされる。
【００５０】
てんぷ規正レバー１７０が第１修正伝え車軸部を押すことにより、切換レバー１３０は時計回り方向に回転される。前述したように、切換レバー１３０の回転方向の位置は、切換レバー１３０が時計回り方向に回転して、第２修正伝え車軸部が切換レバー位置決め穴の円筒壁面に当接することにより決定される。巻真１１０が０段目および１段目にあるときに、規正レバー１７０のてんぷ規正ピン１７０Ａはてんぷ３４０に接触しないように構成される。巻真１１０が第３の巻真位置（２段目）にあるときに、規正レバー１７０のてんぷ規正ピン１７０Ａはてんぷ３４０に接触するように構成される。
【００５１】
（６）カレンダ機構の構成：
次に、カレンダ機構の構成について説明する。図１は、１０月３０日を表示している状態における、文字板側から見たムーブメント１００の裏側の構造を示す平面図である。図１から図５を参照すると、ムーブメント１００は、筒車１８０の回転により回転する第１日回し中間車２６５と、第１日回し中間車２６５の回転により回転する第２日回し中間車２６６と、第２日回し中間車２６６の回転により回転する日回し車２１０と、日付を表示する日車２２０と、日車２２０の回転方向の位置を規正するための日ジャンパ２６０と、月を表示する月車２４０と、月車２４０の回転方向の位置を規正するための月ジャンパ２６２と、日車２２０を地板１０２に対して、反時計回り方向に回転可能なように支持する日車押さえ２６４とを備える。日回し車２１０は２４時間に１回、反時計回り方向に回転するように構成される。日回し車２１０はレバー駆動ピン２１１を有する。
【００５２】
日回し車２１０の回転中心は、ムーブメント１００において、「６時方向」と「９時方向」との間に配置されるのが好ましい。日回し車２１０の回転中心は、ムーブメント１００において、「７時方向」と「８時方向」との間に配置されるのが一層好ましい。日回し車２１０は、香箱車３２０と重ならないように配置されるのがよい。日車２２０の回転中心は、筒車１８０の回転中心と同じ位置であるのが好ましい。
【００５３】
日車２２０は、ムーブメントの内側に面する内側壁部２２１と、日文字２２３を設けた日表示面部２２４を含む日板部２２５と、日車歯部２２６とを含む。日車歯部２２６は、等しい角度間隔（３６０／３１度）で配置された３１個の内歯を含む。日文字２２３は、等しい角度間隔（３６０／３１度）で配置された３１個の「日付」を示す数字（例えば、「１」、「２」、「３」、・・・、「２９」、「３０」、「３１」）などで構成することができる。
【００５４】
日車２２０の内側壁部２２１は、日表示面部２２４の内側に配置される。日車歯部２２６は、日車２２０の下面側に配置される。小の月において日車２２０の表示が「３０日」であるときに日車２２０を送る動作を可能にし、かつ、日車２２０の表示が「３１日」であるときに月車２４０を送る動作を可能にするための月末歯２８８が日車２２０の内側壁部２２１に設けられる。月末歯２８８は、日車２２０の内側壁部２２１において、半径方向内方に向って突出した凸部として１箇所だけ形成される。
【００５５】
月車２４０は、月文字２４３を設けた月表示面部２４４を含む月板２４５と、月星車歯部２４６を含む月星車２４７と、月車２４０の表示が「大の月」（すなわち、「１月」又は「ＪＡＮ」など、「３月」又は「ＭＡＲ」など、「５月」又は「ＭＡＹ」など、「７月」又は「ＪＵＬ」など、「８月」又は「ＡＵＧ」など、「１０月」又は「ＯＣＴ」など、「１２月」又は「ＤＥＣ」など）であるときに対応する月カム２４８とを含む。月カム２４８は、１月に対応する１月カム２４８Ａ、３月に対応する３月カム２４８Ｂ、５月に対応する５月カム２４８Ｃ、７月に対応する７月カム２４８Ｄ、８月に対応する８月カム２４８Ｅ、１０月に対応する１０月カム２４８Ｆ、１２月に対応する１２月カム２４８Ｇの７箇所に、半径方向内方に向ってくぼんだ凹部として構成される。月カム２４８の基準位置は、１月カム２４８Ａを基準として反時計回り方向に、角度間隔が、順番に（２＊３６０／１２度）、（２＊３６０／１２度）、（２＊３６０／１２度）、（１＊３６０／１２度）、（２＊３６０／１２度）、（２＊３６０／１２度）、（１＊３６０／１２度）となるように配置されている（図５参照）。
【００５６】
月星車歯部２４６は、等しい角度間隔（３６０／１２度）で配置された１２個の外歯を含む。月文字２４３は、等しい角度間隔（３６０／１２度）で配置された１２個の「月」を示す文字（例えば、「ＪＡＮ」、「ＦＥＢ」、・・・、「ＮＯＶ」、「ＤＥＣ」など）で構成することができる。或いは、月文字２４３は、等しい角度間隔（３６０／１２度）で配置された１２個の「月」を示す数字、記号、文字、略字、又は、それらの適当な組み合わせ（例えば、「１月」、「２月」、・・・、「１１月」、「１２月」、或いは、「一月」、「二月」、・・・、「十一月」、「十二月」、或いは、「Ｊａｎ」、「Ｆｅｂ」、・・・、「Ｎｏｖ」、「Ｄｅｃ」などの表示）などで構成することもできる。
【００５７】
小の月検出カム２４９が、月車２４０の表示が「小の月」（すなわち、「２月」、「４月」、「６月」、「９月」、「１１月」）であるときを検出するために設けられる。小の月検出カム２４９は、半径方向外方に向って出っ張った凸部として５箇所に構成される。前記凸部の先端部は、同一半径の円弧の一部として構成されるのがよい。小の月検出カム２４９は、２月に対応する２月カム２４９Ａ、４月に対応する４月カム２４９Ｂ、６月に対応する６月カム２４９Ｃ、９月に対応する９月カム２４９Ｄ、１１月に対応する１１月カム２４９Ｅの５個の凹部を含むように構成される。小の月検出カム２４９の基準位置は、２月カム２４９Ａを基準として時計回り方向に、角度間隔が、順番に（２＊３６０／１２度）、（２＊３６０／１２度）、（３＊３６０／１２度）、（２＊３６０／１２度）、（３＊３６０／１２度）となるように配置されている。
【００５８】
日ジャンパ２６０の規正部が日車歯部２２６を規正するように構成される。月ジャンパ２６２の規正部が月星車歯部２４６を規正するように構成される。月車２４０の回転中心は、筒車１８０の回転中心と同じ位置であるのが好ましい。したがって、月車２４０の回転中心は、日車２２０の回転中心と同じ位置であるのがよい。月車２４０の月表示面部２４４は、日車２２０の日表示面部２２４の内側に配置される。
【００５９】
日車２２０の日車歯部２２６を送るための日送り爪２１２が、日回し車２１０の回転により一体になって回転するように設けられる。日送り爪２１２は、先端の配置された日送り部２１３と、日送り爪ばね部２１４とを含む。日送り爪ばね部２１４の元部は、日回し車２１０に固定される。日回し車２１０の回転により、日送り爪２１２が回転して、日送り爪２１２により日車２２０は、間欠的に２４時間について１度だけ、３６０／３１度ずつ、反時計回り方向に回転することができるように構成される。
【００６０】
日送り爪２１２は、弾性変形可能な材料（例えば、ポリアセタールなどのエンジニアリングプラスチック）で構成される。日送り爪２１２は、日回し車２１０と一体になるように形成することができる。日送り爪２１２は、日回し車２１０と別個に形成して、日回し車２１０の回転により一体になって回転するように構成することができる。
【００６１】
月送りレバー２７０が、月板２４５と日車押さえ２６４との間に作動可能なように配置される。月送りレバー２７０は、日車押さえ２６４の上面に対して配置される。２個の月送りレバーガイドピン２７１、２７３が、月送りレバー２７０を作動可能なように案内して保持するために日車押さえ２６４に設けられる。図示しているように、２個の月送りレバーガイドピンを設けるのが好ましいけれども、月送りレバーガイドピンの数は３個以上であってもよい。月送りレバーガイドピン２７１、２７３の円盤状の保持部が、月送りレバー２７０を日車押さえ２６４の上面に対して保持している。
【００６２】
月送りレバー２７０は、月車２４０の月歯車２４６と接触可能なように配置された月送り部２７０Ａと、月送りレバーガイドピン２７３と接触可能なように配置された作動案内部２７０Ｂと、日車２２０の月末歯２８８と接触可能なように配置された月送り作動部２７０Ｃと、月送りレバーばね部２７０Ｄとを含む。月送りレバーばね部２７０Ｄの末端部に近い部分は、日車押さえ２６４に設けられた月送りレバーばねピン２７０Ｆに接触するように構成される。日回し車２１０の回転中心は、地板１０２に設けられた日回し車ピン１０２Ｐで構成される。
【００６３】
小の月月末送りレバー２８２が、月板２４５と日送り爪２１２との間に作動可能なように配置される。小の月月末送りレバー２８２は、小の月検出カム２４９と接触可能なように配置された小の月月末送りカム２８４と、レバー駆動ピン２１１と接触可能なように配置された扇形穴部２８２Ｂと、日車２２０の月末歯２８８と接触可能なように配置された小の月月末送りつめ２８６と、レバー長穴２８２Ｃとを含む。小の月月末送りレバー２８２は、日回し車２１０の回転および月車２４０の回転に基づいて位置決めされ、小の月の月末に日車２２０を回転させることができるように構成される。小の月月末送りレバー２８２は、日送り爪２１２の上側に配置され、日回し車２１０の回転中心に対して移動可能なように構成される。
【００６４】
レバー駆動ピン２１１は、小の月月末送りレバー２８２の扇形穴部２８２Ｂに配置される。小の月月末送りレバー２８２は、レバー駆動ピン２１１により回転される。小の月月末送りレバー２８２のレバー長穴２８２Ｃは、日回し車ピン１０２Ｐに対して配置される。小の月月末送りレバー２８２は、レバー長穴２８２Ｃが日回し車ピン１０２Ｐに案内されて、月車２４０に設けられた月カム２４８に沿い日回し車２１０の回転に基づいて、地板１０２の中心から半径方向外方に向かう方向に、月末歯２８８に対して移動可能なように構成される。このように構成することにより、日送り機構および月送り機構の作動が安定しているカレンダ機構付き時計を実現することができる。また、この構成により、通常の日送り時に余計な負荷が伝達輪列にかからないように構成することができる。
【００６５】
日車２２０の表示が「３１日」から「１日」になるように日車２２０が回転されるときに、日車２２０の月末歯２８８が月送りレバー２７０の月送り作動部２７０Ｃに接触し、月送りレバー２７０を月車２４０に向かって移動させることができるように構成される。月送りレバー２７０の移動により、月送り部２７０Ａは月星車歯部２４６を回転させ、月車２４０を回転させて、月車２４０の表示を変えることができるように構成される。
【００６６】
（７）カレンダ機構付き時計の作動：
（７・１）時刻情報の表示：
次に、本発明のカレンダ機構付き時計の作動について説明する。図２５を参照すると、ムーブメント１００を時計ケース３１０の中に組み入れ、文字板１０４と、りゅうず３１０、時針４６４、分針４６２、秒針４６０を取り付けてコンプリート３００を構成する。
文字板１０４に設けた窓３０４から、日表示面部２２４に設けた日を示す文字「３０」と、月表示面部２４４に設けた月を示す文字「ＯＣＴ」を読むことができる。すなわち、コンプリート３００は、「１０月３０日」を表示している。文字板１０４の「３時方向」に窓３０４を形成したカレンダ機構付き時計の実施形態を図１９に示すけれども、日文字と月文字の配置や向きを適当に選択することによって、文字板１０４の「３時方向」以外の位置に窓を形成したカレンダ機構付き時計を実現することもできる。
【００６７】
図１から図４、図２６および図２７を参照すると、香箱車３２０に組み込まれたぜんまい（図示せず）は時計の動力源を構成する。ぜんまいが巻き戻される（解放される）ことにより、香箱車３２０の香箱歯車は１つの方向に回転し、表輪列及び裏輪列の回転を介して、指針（時針、分針、秒針など）により時刻情報を表示する。ぜんまいの動力により回転する香箱歯車の回転は、調速装置及び脱進装置によって制御される。調速装置はてんぷ３４０を含む。脱進装置はアンクル３４２及びがんぎ車３３０を含む。香箱歯車の回転により、二番車３２５が回転する。二番車３２５の回転により、三番車３２６が回転する。三番車３２６の回転により、四番車４４２が１分間に１回転する。
【００６８】
四番車４４２の回転速度は、がんぎ車３３０により制御される。がんぎ車３３０の回転速度は、アンクル３４２により制御される。アンクル３４２の揺動運動は、てんぷ３４０により制御される。香箱車３２０の回転により、分車４４６が１時間に１回転する。分車４４６に取付けられた分針４６２が、時刻情報のうちの「分」を表示する。四番車４４２に取付けられた秒針４６０が、時刻情報のうちの「秒」を表示する。四番車４４２の回転中心と分車４４６の回転中心とは同じ位置にあるように構成される。分車４４６の回転により、日の裏車１６６が回転する。日の裏車１６６の回転により、筒車１８０は１２時間に１回転するように構成される。筒車１８０に取付けられた時針４６４が、時刻情報のうちの「時」を表示する。
【００６９】
（７・２）カレンダ送りの作動：
（７・２・１）「大の月」において、月末以外における作動：
次に、本発明のカレンダ機構付き時計のカレンダ送りの作動について説明する。図１から図３および図２６を参照すると、「大の月」の月末以外において、小の月月末送りレバー２８２のレバー長穴２８２Ｃが日回し車ピン１０２Ｐに案内されて、月送りレバー２７０の小の月月末送りカム２８４は、月車２４０の月カム２４８と接触できるような位置に配置され、小の月月末送りレバー２８２は、地板１０２の半径方向外方の位置に配置されることができる（図１に示す位置）。小の月月末送りレバー２８２は、地板１０２の半径方向外方の位置と、地板１０２の半径方向内方の位置との間で自由に移動することができる。日車２２０の月末歯２８８は、月送りレバー２７０の月送り作動部２７０Ｃに接触しないような位置に配置される。
【００７０】
この状態において、筒車１８０の回転により回転する第１日回し中間車２６５の回転と、第２日回し中間車２６６の回転を介して日回し車２１０が回転すると、日送り爪２１２およびレバー駆動ピン２１１も同時に回転する。日送り爪２１２が回転すると、日送り爪２１２の日送り部２１３は、日車２２０の日車歯部２２６を１歯だけ反時計回り方向に送ることができる。日送りの作動は、例えば、午後８時から午後１２時の間に行うように構成することができる。この状態において、日車２２０が回転しても、月送りレバー２７０は作動しない。日送りの作動後の日車２２０の回転方向の位置は、日ジャンパ２６０によって規正される。
【００７１】
この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめ２８６は、日車２２０の月末歯２８８と接触しないような位置に配置される。したがって、この状態において、小の月月末送りレバー２８２が回転しても、日車２２０は回転しない。したがって、「大の月」の月末以外において、日車２２０の日車歯部２２６は１歯だけ送られ、日の表示は１日分だけ変わる。また、「大の月」の月末以外において、月送りは行なわれないので、月の表示は変わらない。
【００７２】
（７・２・２）「小の月」において、月末以外における作動：
図２、図３および図２６を参照すると、「小の月」の月末以外において、小の月月末送りレバー２８２のレバー長穴２８２Ｃが日回し車ピン１０２Ｐに案内されて、小の月月末送りレバー２８２の小の月月末送りカム２８４は、月車２４０の小の月検出カム２４９に対応する位置に配置される。
【００７３】
この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめは、日車２２０の月末歯２８８に接触しないような位置に配置される。この状態において、小の月月末送りレバー２８２が回転しても、日車２２０は回転しない。したがって、「小の月」の月末以外において、日車２２０の日車歯部２２６は１歯だけ送られ、日の表示は１日分だけ変わる。日送りの作動後の日車２２０の回転方向の位置は、日ジャンパ２６０によって規正される。また、「小の月」の月末以外において、月送りは行なわれないので、月の表示は変わらない。すなわち、「小の月」の月末以外においてにおける作動は、上述したような「大の月」の月末以外における作動と同様である。
【００７４】
（７・２・３）「大の月」において、「３０日」から「３１日」に変わる作動：
図５から図９および図２６を参照すると、「大の月」の「３０日」を表示している状態において、月の表示は「１０月」に対応する「ＯＣＴ」である。小の月月末送りレバー２８２は、地板１０２の半径方向外方の位置に配置されることができる（図５に示す位置）。小の月月末送りレバー２８２は、地板１０２の半径方向内方の位置と、地板１０２の半径方向外方の位置との間で自由に移動することができる。日車２２０の月末歯２８８は、月送りレバー２７０の月送り作動部２７０Ｃに接触しないような位置に配置される。
【００７５】
図６を参照すると、筒車１８０の回転により回転する第１日回し中間車２６５の回転と、第２日回し中間車２６６の回転を介して日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。
【００７６】
この状態において、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の月末歯２８８に接触する。日車２２０の月末歯２８８によって、小の月月末送りレバー２８２は、地板１０２の半径方向内方の位置に向かって移動される。したがって、この状態において、小の月月末送りレバー２８２が回転しても、日車２２０は回転しない。
【００７７】
図７を参照すると、さらに日回し車２１０が回転すると、日送り爪２１２がさらに回転して、日送り爪２１２の日送り部２１３は、日車２２０の日車歯部２２６の１つの歯に接触する。日車２２０の月末歯２８８は、月送りレバー２７０の月送り作動部２７０Ｃに接触しないような位置に配置される。
【００７８】
図８を参照すると、さらに日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。日車２２０の月末歯２８８は、月送りレバー２７０の月送り作動部２７０Ｃに接触しないような位置に配置される。
【００７９】
図９を参照すると、日送り爪２１２は日車２２０の日車歯部２２６を１歯だけ反時計回り方向に送り終わり、日の表示は「３１日」に変わる。日車２２０の月末歯２８８は、月送りレバー２７０の月送り作動部２７０Ｃに接触する位置、若しくは、月送りレバー２７０の月送り作動部２７０Ｃに接触しない位置に配置されるが、月送りレバー２７０の月送り部２７０Ａは月車２４０の月星車歯部２４６とは接触しない。したがって、「大の月」の「３０日」を表示している状態から「３１日」を表示する状態に変わるとき、月送りは行なわれないので、月の表示は変わらないで「ＯＣＴ」のままである。「１０月」以外の「大の月」における「３０日」から「３１日」に変わる作動は、「１０月」の「３０日」から「３１日」に変わる作動と同様である。
【００８０】
（７・２・４）「大の月」において、「３１日」から次の月の「１日」に変わる作動：
図２、図３、図１０および図２６を参照すると、「大の月」の「３１日」を表示している状態において、月の表示は「１０月」に対応する「ＯＣＴ」である。この状態では、小の月月末送りレバー２８２は、地板１０２の半径方向外方の位置に配置されることができる（図１０に示す位置）。小の月月末送りレバー２８２は、地板１０２の半径方向外方の位置と、地板１０２の半径方向内方の位置との間で自由に移動することができる。日車２２０の月末歯２８８は、月送りレバー２７０の月送り作動部２７０Ｃに接触することができるような位置に配置される。
【００８１】
図１１および図２６を参照すると、筒車１８０の回転により回転する第１日回し中間車２６５の回転と、第２日回し中間車２６６の回転を介して日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。この状態において、日車２２０が反時計回り方向に回転すると、日車２２０の月末歯２８８が月送りレバー２７０の月送り作動部２７０Ｃに接触する。日車２２０の月末歯２８８がこの位置に配置されると、月送りレバー２７０は月星車歯部２４６に向かって移動することができる。月星車歯部２４６に向かって移動して月送り部２７０Ａに接触すると、月星車歯部２４６は時計回り方向に回転する。
【００８２】
この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめ２８６は、日車２２０の月末歯２８８に接触しない。したがって、この状態において、小の月月末送りレバー２８２が回転しても、日車２２０は回転しない。
【００８３】
図１２を参照すると、さらに日回し車２１０が回転すると、日送り爪２１２がさらに回転する。日車２２０の月末歯２８８により月送りレバー２７０は月星車歯部２４６に向かって移動して月送り部２７０Ａに接触し、月星車歯部２４６を１歯だけ時計回り方向に送ることができる。月送りの作動後の月車２４０の回転方向の位置は、月ジャンパ２６２によって規正される。
【００８４】
図１３を参照すると、日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。
【００８５】
図１４を参照すると、さらに日回し車２１０が回転すると、日送り爪２１２がさらに回転して、日車２２０の月末歯２８８は、月送りレバー２７０の月送り作動部２７０Ｃから離れる。月送りレバーばね部２７０Ｄのばね力により、月送りレバー２７０は月歯車２４２から離れるように移動する。
【００８６】
図１５を参照すると、日送り爪２１２は日車２２０の日車歯部２２６を１歯だけ反時計回り方向に送り終わり、日の表示は「１日」に変わる。日車２２０の月末歯２８８は、月送りレバー２７０の移動により月星車２４７の月星車歯部２４６を１歯だけ時計回り方向に送り終わり、月の表示は「ＮＯＶ」に変わる。日送りおよび月送りの作動は、例えば、午後８時から午後１２時の間に行うように構成することができる。「１０月」以外の「大の月」の月末における作動は、「１０月」の月末における作動と同様である。
【００８７】
（７・２・５）「小の月」において、「３０日」から次の月の「１日」に変わる作動：
図１から図３、図１６および図２６を参照すると、「小の月」の「３０日」を表示している状態において、月の表示は「１１月」に対応する「ＮＯＶ」であり、日の表示は「３０日」に対応する「３０」である。この状態で、月車２４０の１１月カム２４９Ｅは小の月月末送りレバー２８２の小の月月末送りカム２８４に接触するような位置に配置される。すなわち、月車２４０の１１月カム２４９Ｅは、「小の月検出」の位置に配置される。
この状態で、小の月月末送りレバー２８２は、地板１０２の半径方向外方の位置に配置される（図１６に示す位置）。日車２２０の月末歯２８８は、月送りレバー２７０の月送り作動部２７０Ｃに接触しないような位置に配置される。
【００８８】
筒車１８０の回転により回転する第１日回し中間車２６５の回転と、第２日回し中間車２６６の回転を介して日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。
【００８９】
図１６Ａは、１１月３０日から１２月１日に変わる状態において、小の月月末送りつめ２８６が月末歯２８８と接触した状態を示す部分拡大平面図である。図１６Ａを参照すると、日車２２０の回転中心２２０Ｃと、日回し車２１０の回転中心２１０Ｃとを結ぶ直線と、日車２２０の回転中心２２０Ｃと、月末歯２８８の先端部とを結ぶ直線とのなす月末歯先端位置角度ＫＡＪは、０度から、躍制角度の１/２の範囲にあるのが好ましい。ここに、「躍制角度」とは、日送りの時に、日車２２０の歯部の先端部が日ジャンパ２６０の先端部と接触するときまでに日車２２０がまわされる回転角度を示すものしてと定義している。「躍制角度」は、一般的に、日車の１日分のピッチ角度（３６０/３１度）の１/２から２/３となるように設定される。この「躍制角度」は、日ジャンパ２６０の回転中心の位置の設定により異なる値である。図１６Ａに示す状態において、月末歯先端位置角度ＫＡＪは、例えば、２．２度である。
【００９０】
図１７を参照すると、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の月末歯２８８に接触する。すなわち、「小の月」の「３０日」を表示している状態において、日車２２０の月末歯２８８がこの位置に配置されると、小の月月末送りレバー２８２により、日車２２０を回転させることができる。さらに、小の月月末送りレバー２８２が回転すると、小の月月末送りつめ２８６は日車２２０の月末歯２８８に接触して、日車２２０を回転させることができる。
【００９１】
図１７Ａは、１１月３０日から３１日に変わる状態において、小の月月末送りつめが月末歯と接触して、今まさに３１日に変わる寸前の状態を示す部分拡大平面図である。図１７Ａを参照すると、日車２２０の回転中心２２０Ｃと、日回し車２１０の回転中心２１０Ｃとを結ぶ直線と、日車２２０の回転中心２２０Ｃと、月末歯２８８の先端部とを結ぶ直線とのなす月末歯先端位置角度ＫＡＫは、０度から、躍制角度の１/２の範囲にあるのが好ましい。図１７Ａに示す状態において、月末歯先端位置角度ＫＡＫは、例えば、３．６度である。図１７Ａに示す状態における月末歯先端位置角度ＫＡＫは、図１６Ａに示す状態における月末歯先端位置角度ＫＡＪと同じくらいの大きさに構成するのが好ましい。
【００９２】
図１８を参照すると、さらに日回し車２１０が回転すると、日送り爪２１２がさらに回転して、日送り爪２１２の日送り部２１３は、日車２２０の日車歯部２２６の１つの歯に接近する。この状態において、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の月末歯２８８に接触し、日車２２０を反時計回り方向に回転させる。
【００９３】
図１８Ａは、１１月３０日から日車が回転して３１日表示した状態を示す部分拡大平面図である。図１８Ａを参照すると、日車２２０の回転中心２２０Ｃと、日回し車２１０の回転中心２１０Ｃとを結ぶ直線と、日車２２０の回転中心２２０Ｃと、月送りレバー２７０の回転中心２７０Ｇとを結ぶ直線とのなす月送りレバー中心位置角度ＫＡＴは、日車２２０の１日分のピッチ角度（３６０/３１度）であるか、日車２２０の１日分のピッチ角度（３６０/３１度）以下であるのが好ましい。図１８Ａに示す状態において、月送りレバー中心位置角度ＫＡＴは、例えば、１０．２度である。図１８Ａに示す状態において、日車２２０の月末歯２８８は、図１６Ａに示す状態から、日車２２０の１日分のピッチ角度（３６０/３１度）だけ回転した位置にある。
【００９４】
図１９を参照すると、さらに日回し車２１０が回転すると、小の月月末送りレバー２８２がさらに回転して、日車２２０の日車歯部２２６を１歯だけ反時計回り方向に送ることができる。日送りの作動後の日車２２０の回転方向の位置は、日ジャンパ２６０によって規正される。その結果、日の表示は「３０日」に対応する「３０」から、「３１日」に対応する「３１」に移動される。日車２２０の月末歯２８８は、月送りレバー２７０の月送り作動部２７０Ｃに当接するような位置、若しくは、月送りレバー２７０の月送り作動部２７０Ｃに接近するような位置に配置される。
【００９５】
図１９を参照すると、さらに日回し車２１０が回転すると、日送り爪２１２は日車２２０の日車歯部２２６に接触するような位置に配置される。日車２２０の月末歯２８８は、月送りレバー２７０の月送り作動部２７０Ｃに接触するような位置に配置される。小の月月末送りレバー２８２の小の月月末送りつめ２８６は、日車２２０の月末歯２８８から離れるような位置に配置される。
【００９６】
図１９Ａは、日送りつめの日送り部が日車の歯部と接触し、かつ、月末歯が月送りレバーの爪部に接触して、月送りレバーが回転を始める状態を示す部分拡大平面図である。図１９Ａを参照すると、日車２２０の回転中心２２０Ｃと、月送りレバー２７０の回転中心２７０Ｇとを結ぶ直線と、日車２２０の回転中心２２０Ｃ（すなわち、月車２４０の回転中心）と、月末歯２８８の先端部とを結ぶ直線とのなす月送りレバー月末歯位置角度ＫＡＧは、０度から、躍制角度の１/２の範囲にあるのが好ましい。図１９Ａに示す状態において、月送りレバー月末歯位置角度ＫＡＧは、例えば、０．８度である。
【００９７】
図２０および図２６を参照すると、さらに日回し車２１０が回転すると、日送り爪２１２がさらに回転して、日車２２０の日車歯部２２６を反時計回り方向に回転させることができる。日車２２０の月末歯２８８は、月送りレバー２７０を月歯車２４２に向かって移動させる。月送りレバー２７０は月星車歯部２４６に向かって移動して月送り部２７０Ａに接触し、月星車２４７の月星車歯部２４６を時計回り方向に回転させることができる。
【００９８】
図２０Ａは、月末歯が月送りレバーを介して月車を回転させて、今まさに１２月１日に変わる寸前の状態を示す部分拡大平面図である。図２０Ａを参照すると、日車２２０の回転中心２２０Ｃと、月送りレバー２７０の回転中心２７０Ｇとを結ぶ直線と、日車２２０の回転中心２２０Ｃ（すなわち、月車２４０の回転中心）と、月末歯２８８の先端部とを結ぶ直線とのなす月送りレバー月末歯位置角度ＫＡＨは、０度から、躍制角度の１/２の範囲にあるのが好ましい。図２０Ａに示す状態において、日車２２０は日ジャンパ２６０によって躍制作動されて次の「１日」の表示に回転される手前の状態にあるのが好ましい。すなわち、図１９Ａに示す状態における月送りレバー月末歯位置角度ＫＡＧと、図２０Ａに示す状態における月送りレバー月末歯位置角度ＫＡＨの合計の値は、躍制角度より小さくなるように設定されるのが好ましい。図２０Ａに示す状態において、月送りレバー月末歯位置角度ＫＡＨは、例えば、３．８度である。
【００９９】
図２１および図２６を参照すると、さらに日回し車２１０が回転すると、日送り爪２１２がさらに回転して、日車２２０の日車歯部２２６を１歯だけ反時計回り方向に送ることができる。日車２２０の月末歯２８８は、月送りレバー２７０は月歯車２４２に向かって移動して、月星車２４７の月星車歯部２４６を１歯だけ時計回り方向に送ることができる。月送りの作動後の月車２４０の回転方向の位置は、月ジャンパ２６２によって規正される。その結果、月の表示は「１１月」に対応する「ＮＯＶ」から、「１２月」に対応する「ＤＥＣ」に移動される。
【０１００】
図２２を参照すると、さらに日回し車２１０が回転すると、日送り爪２１２がさらに回転して、日車２２０の日車歯部２２６を反時計回り方向に回転させることができる。
【０１０１】
図２３を参照すると、さらに日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。日車２２０の月末歯２８８は、月送りレバー２７０の月送り作動部２７０Ｃから離れる。月送りレバーばね部２７０Ｄのばね力により、月送りレバー２７０は月歯車２４２から離れるように移動する。すなわち、月送りレバー２７０は、日車２２０の回転に基づいて月車２４０に向かって移動し、月送りレバー２７０ばね部のばね力により元の位置に戻されるように構成される。
【０１０２】
図２４を参照すると、日送り爪２１２は日車２２０の日車歯部２２６を１歯だけ反時計回り方向に送り終わり、日の表示は「１日」に変わる。日車２２０の月末歯２８８による月送りレバー２７０の移動により月星車２４７の月星車歯部２４６を１歯だけ時計回り方向に送り終わり、月の表示は「ＤＥＣ」に変わる。日送りおよび月送りの作動は、例えば、午後８時から午後１２時の間に行うように構成することができる。
【０１０３】
「１１月」以外の「小の月」の月末における作動は、「１１月」の月末における作動と同様である。なお、「２月」の月末における作動は、「１１月」の月末における作動と同様であるので、「２月」の月末には（２月２８日には、或いは、閏年の２月２９日には、）、前述したカレンダ修正機構を用いて、日の表示が「１日」に対応する「１」になるように日修正を行う必要がある。
【０１０４】
（８）巻真が０段目にある状態における時計の作用
図２から図４および図２７を参照すると、巻真１１０が０段目にある状態では、つづみ車１１４の乙歯１１４Ｂは、きち車１１６の内側歯１１６Ａと噛み合っている。従って、巻真１１０を右回転させると（時計の外側から見て時計回り方向に巻真１１０を回転させると）、つづみ車１１４の回転に基づいてきち車１１６が回転し、丸穴車が回転する。丸穴車の回転に基づいて丸穴伝え車が回転する。丸穴伝え車の回転により、揺動丸穴車は回転しながら揺動して、角穴車と噛み合い、角穴車を一定の方向に回転させる。こはぜ（図示せず）が、角穴車の逆方向の回転を阻止するように設けられている。
【０１０５】
角穴車の回転に基づいて香箱真が回転し、ぜんまいを巻き上げる。ぜんまいの動力により、香箱歯車が一定の方向に回転する。香箱歯車の回転に基づいて表輪列が回転し、時刻表示部材を構成する秒針及び分針を回転させる。表輪列の回転速度は、てんぷを含む調速装置と、脱進装置により調節される。表輪列の回転に基づいて日の裏車及び筒車を含む裏輪列が回転して、時針を回転させる。また、裏輪列の回転に基づいて、日送り機構が作動して日車２２０を回転させ、月送り機構が作動して月車２４０を回転させる。
【０１０６】
（９）巻真が１段目にある状態における時計の作用：
（９・１）日修正の作動：
図４を参照すると、巻真１１０を０段目にある状態から１段分引き出して巻真１１０が１段目にある状態にする。巻真１１０を１段分引き出すと、おしどり１２０が反時計回り方向に回転し、かんぬき１２２を時計回り方向に回転させる。この状態では、つづみ車１１４の甲歯１１４Ａが小鉄車１２８と噛み合い、つづみ車１１４の乙歯１１４Ｂはきち車１１６の内側歯１１６Ａと噛み合わない。
【０１０７】
巻真１１０が１段目にあるときには、前述したように、おしどり１２０により、てんぷ規正レバー１７０は時計回り方向に回転され、てんぷ規正レバー１７０の切換レバー当接部が第１修正伝え車軸部に当たって位置決めされる。てんぷ規正レバー１７０の作用により、切換レバー１３０が反時計回り方向に回転して、第２修正伝え車軸部が切換レバー位置決め穴の円筒壁面に当接する。この状態では、てんぷ規正レバー１７０はてんぷ２１０に接触しない。
【０１０８】
巻真１１０を右回転させると（時計の外側から見て時計回り方向に巻真１１０を回転させると）、つづみ車１１４の回転に基づいて小鉄車１２８が反時計回り方向に回転する。小鉄車１２８の回転に基づいて、第１修正伝え車１３２が時計回り方向に回転する。第１修正伝え車１３２の回転に基づいて、第２修正伝え車１３４が反時計回り方向に回転する。第２修正伝え車１３４の回転に基づいて、第３修正伝え車１４０が時計回り方向に回転する。すると、揺動レバー１４２が時計回り方向に回転して、修正車軸部が揺動レバー位置決め穴の円筒壁面に当接して位置決めされる。この状態で、巻真１１０を右回転させると、第３修正伝え車１４０が揺動レバー１４２に対してスリップすることができる。
【０１０９】
第３修正伝え車１４０の回転に基づいて修正車１４４が図４に示す位置で反時計回り方向に回転する。このような修正歯車１４４ｂの回転に基づいて日車１５０を反時計回り方向に回転する。日車１５０の回転方向の位置は、日ジャンパ１８０により決められている。以上説明したように、本発明の時計では、巻真１１０が１段目にある状態で巻真１１０を右回転させることにより、日修正を行うことができる。
【０１１０】
（９・２）月修正の作動：
図４を参照すると、巻真１１０が１段目にある状態において、巻真１１０を左回転させると（時計の外側から見て反時計回り方向に巻真１１０を回転させると）、つづみ車１１４の回転に基づいて小鉄車１２８が時計回り方向に回転する。小鉄車１２８の回転に基づいて、第１修正伝え車１３２が反時計回り方向に回転する。第１修正伝え車１３２の回転に基づいて、第２修正伝え車１３４が時計回り方向に回転する。第２修正伝え車１３４の回転に基づいて、第３修正伝え車１４０が反時計回り方向に回転する。すると、揺動レバー１４２が反時計回り方向に回転して、修正車軸部が揺動レバー位置決め穴の円筒壁面に当接して位置決めされる。この状態で、巻真１１０を右回転させると、第３修正伝え車１４０が揺動レバー１４２に対してスリップすることができる。
【０１１１】
第３修正伝え車１４０の回転に基づいて修正車１４４が時計回り方向に回転する。このような修正歯車の回転に基づいて修正車１５８が反時計回り方向に回転する。すると、修正車１５８の回転に基づいて月車１８０が時計回り方向に回転する。月車１８０の回転方向の位置は、月ジャンパ２６２により決められている。
【０１１２】
（１０）巻真が２段目にある状態における時計の作用：
図４を参照すると、巻真１１０を１段目から更に１段分引き出して巻真１１０が２段目にある状態にする。巻真１１０を更に１段分引き出すと、おしどり１２０が更に反時計回り方向に回転する。この作動では、かんぬき１２２は回転しない。従って、この２段目にある状態では、巻真１１０が１段目にある状態と同様に、つづみ車１１４の甲歯１１４Ａは小鉄車１２８と噛み合ったままであり、つづみ車１１４の乙歯１１４Ｂはきち車１１６の内側歯１１６Ａと噛み合っていない。
【０１１３】
巻真１１０が２段目にあるときには、おしどり１２０が回転することにより、てんぷ規正レバー１７０は反時計回り方向に回転され、てんぷ規正レバー１７０のてんぷ規正ピン１７０Ａがてんぷ２１０のてんわの部分の外周に当接して、てんぷ２１０の回転を止める。その結果、アンクル３４２及びがんぎ車３３０は作動せず、四番車４４２の回転が規正され、秒針４６０の回転が停止する。
【０１１４】
てんぷ規正レバー１７０のてんぷ規正ピン１７０Ａを、てんぷ規正レバー１７０の端面で構成してもよいし、てんぷ規正レバー１７０の端面を直角に曲げて構成してもよい。おしどり１２０が回転することにより、おしどり１２０の先端部に設けたピンが切換レバー１３０のおしどり係合部１３０Ｅを押す。すると、切換レバー１３０が時計回り方向に回転して、第２修正伝え車軸部が切換レバー位置決め穴の円筒壁面に当接する。すると、第２日の裏中間車１６２が日の裏車１６６と噛み合う。
【０１１５】
巻真１１０を右回転させると（時計の外側から見て時計回り方向に巻真１１０を回転させると）、つづみ車１１４の回転に基づいて小鉄車１２８が反時計回り方向に回転する。小鉄車１２８の回転に基づいて、第１日の裏中間車１６０が時計回り方向に回転する。第１日の裏中間車１６０の回転に基づいて、第２日の裏中間車１６２が反時計回り方向に回転する。第２日の裏中間車１６２の回転に基づいて、日の裏車１６６が時計回り方向に回転する。日の裏車１６６の回転に基づいて、筒車１８０及び二番車３２５が反時計回り方向に回転する。従って、巻真１１０が２段目にあるときに、巻真１１０を右回転させることにより、いわゆる「逆針合わせ」をすることができる。
【０１１６】
巻真１１０を左回転させると（時計の外側から見て反時計回り方向に巻真１１０を回転させると）、つづみ車１１４の回転に基づいて小鉄車１２８が時計回り方向に回転する。小鉄車１２８の回転に基づいて、第１日の裏中間車１６０が反時計回り方向に回転する。第１日の裏中間車１６０の回転に基づいて、第２日の裏中間車１６２が時計回り方向に回転する。第２日の裏中間車１６２の回転に基づいて、日の裏車１６６が反時計回り方向に回転する。日の裏車１６６の回転に基づいて、筒車２５０及び分車２６０が時計回り方向に回転する。従って、巻真１１０が２段目にあるときに、巻真１１０を左回転させることにより、いわゆる「正針合わせ」をすることができる。
【０１１７】
筒車１８０を回転させることにより、筒車１８０に取付けられた時針４６４が表示する「時」の表示内容を修正することができる。分車４４６の筒かなを回転させることにより、分車４４６に取付けられた分針４６２が表示する「分」の表示内容を修正することができる。そして、てんぷ規正レバー１７０の作用により、「時」及び「分」の表示内容を修正している間、「秒」の表示内容は変化しない。
【０１１８】
（１１）第２の実施の形態：
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。本発明のカレンダ機構付き時計の第２の実施の形態はアナログ電子時計である。本発明をアナログ電子時計で構成する場合において、切換機構、カレンダ送り機構、カレンダ修正機構の構造および作用は、上述した本発明の第１の実施形態の構造および作用と同様である。
【０１１９】
図２８を参照すると、ムーブメント６００はアナログ電子時計で構成される。ムーブメント６００は、ムーブメントの基板を構成する地板６０２を含む。文字板（図示せず）がムーブメント６００のガラス側に取付けられる。巻真６１０が、地板６０２に回転可能に組み込まれる。切換装置は、巻真６１０と、おしどり（図示せず）、かんぬき（図示せず）、かんぬき押え（図示せず）とを含む。規正装置は、規正レバー（図示せず）を含む。ムーブメント６００において、時計の動力源を構成する電池６４０が、地板６０２の裏蓋側（表側）に配置される。電池６４０の中心は、ムーブメント６００において、「１０時方向」と「２時方向」との間に配置されるのが好ましい。電池６４０の中心は、ムーブメント６００において、「１１時方向」と「１時方向」との間に配置されるのが一層好ましい。時計の源振を構成する水晶ユニット６５０が地板６０２の裏蓋側に配置される。水晶振動子が、水晶ユニット６５０に収容されている。水晶振動子の振動に基づいて、ステップモータにモータ駆動信号を出力するモータ駆動部（ドライバ）が、集積回路（ＩＣ）６５４に内蔵される。
【０１２０】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板６０２の裏蓋側に配置される。電池マイナス端子６６０は、電池６４０の陰極と、回路基板６１０のマイナスパターンを導通させるために設けられる。電池プラス端子６６２は、電池６４０の陽極と、回路基板６１０のプラスパターンを導通させるために設けられる。ステップモータを構成するコイルブロック６３０、ステータ６３２、ロータ６３４が、地板６０２の裏蓋側に配置される。
【０１２１】
ロータ６３４の回転により、五番車６４１が回転するように構成される。五番車６４１の回転により、四番車６４２が回転するように構成される。四番車６４２の回転により、三番車６４４が回転するように構成される。三番車６４４の回転により、二番車（図示せず）が回転するように構成される。二番車の回転により、日の裏車６４８が回転するように構成される。日の裏車６４８の回転により、筒車（図示せず）が回転するように構成される。時針（図示せず）が筒車に取付けられる。筒車は１２時間に１回転するように構成される。巻真６１０が０段目にあるとき、および、巻真６１０が１段目にあるとき、規正レバーは四番車６４２又は五番車６４１の歯車部を規正しないように構成される。巻真６１０が２段目にあるとき、規正レバーは四番車６４２又は五番車６４１の歯車部を規正するように構成される。
【０１２２】
四番車６４２は１分間に１回転するように構成されている。二番車は１時間に１回転するように構成される。スリップ機構が二番車に設けられる。巻真６１０を２段目に引き出して針合わせをするときに、規正レバー（図示せず）は四番車６４２又は五番車６４１の歯車部を規正して秒針の回転を停止させる。中心パイプ（図示せず）が地板６０２に固定される。中心パイプは地板６０２の裏蓋側から地板６０２の文字板側に延びる。表輪列を回転可能に支持する輪列受（図示せず）が、地板６０２の裏蓋側に配置される。
【０１２３】
ムーブメント６００の裏側において、筒車の回転により２つの日回し中間車を回転するように構成して、日送り機構（図示せず）および月送り機構（図示せず）を作動させることができる。ムーブメント６００の裏側に配置される日回し車は（図示せず）、ムーブメント６００の表側に配置される電池６４０と、断面的にみて重ならないように配置されるのがよい。日送り機構、月送り機構の構成、作用は、本発明のカレンダ機構付き時計の第１の実施形態における日送り機構、月送り機構の構成、作用と同様である。この構成により、ムーブメントの厚さが薄いカレンダ機構付き電子時計を実現することができる。
【産業上の利用可能性】
【０１２４】
本発明により、日送り機構および月送り機構を薄く構成して、ムーブメントの厚さが薄いカレンダ機構付き時計を製造することができる。また、本発明により、日送り機構および月送り機構の作動が安定しているカレンダ機構付き時計を製造することができる。さらに、本発明により、通常の日送り時に余計な負荷が伝達輪列にかからないように構成したカレンダ機構付き時計を製造することができる。
【図面の簡単な説明】
【０１２５】
【図１】本発明のカレンダ機構付き時計の実施形態において、ムーブメントを文字板側から見たときの構造を示す概略平面図である。
【図２】本発明のカレンダ機構付き時計の実施形態において、筒車、月送り機構などを示す部分断面図である。
【図３】本発明のカレンダ機構付き時計の実施形態において、筒車、日送り機構、小の月月末送りレバーなどを示す部分断面図である。
【図４】本発明のカレンダ機構付き時計の第１の実施形態において、巻真が１段目にあるときのカレンダ修正機構を示す部分平面図である。
【図５】本発明のカレンダ機構付き時計の実施形態において、１０月３０日から１０月３１日に変わる状態における、日送り機構、月送り機構の構造を示す部分平面図（その１）である。
【図６】本発明のカレンダ機構付き時計の実施形態において、１０月３０日から１０月３１日に変わる状態における、日送り機構、月送り機構の構造を示す部分平面図（その２）である。
【図７】本発明のカレンダ機構付き時計の実施形態において、１０月３０日から１０月３１日に変わる状態における、日送り機構、月送り機構の構造を示す部分平面図（その３）である。
【図８】本発明のカレンダ機構付き時計の実施形態において、１０月３０日から１０月３１日に変わる状態における、日送り機構、月送り機構の構造を示す部分平面図（その４）である。
【図９】本発明のカレンダ機構付き時計の実施形態において、１０月３０日から１０月３１日に変わる状態における、日送り機構、月送り機構の構造を示す部分平面図（その５）である。
【図１０】本発明のカレンダ機構付き時計の実施形態において、１０月３１日から１１月１日に変わる状態における、日送り機構、月送り機構の構造を示す部分平面図（その１）である。
【図１１】本発明のカレンダ機構付き時計の実施形態において、１０月３１日から１１月１日に変わる状態における、日送り機構、月送り機構の構造を示す部分平面図（その２）である。
【図１２】本発明のカレンダ機構付き時計の実施形態において、１０月３１日から１１月１日に変わる状態における、日送り機構、月送り機構の構造を示す部分平面図（その３）である。
【図１３】本発明のカレンダ機構付き時計の実施形態において、１０月３１日から１１月１日に変わる状態における、日送り機構、月送り機構の構造を示す部分平面図（その４）である。
【図１４】本発明のカレンダ機構付き時計の実施形態において、１０月３１日から１１月１日に変わる状態における、日送り機構、月送り機構の構造を示す部分平面図（その５）である。
【図１５】本発明のカレンダ機構付き時計の実施形態において、１０月３１日から１１月１日に変わる状態における、日送り機構、月送り機構の構造を示す部分平面図（その６）である。
【図１６】本発明のカレンダ機構付き時計の実施形態において、１１月３０日から１２月１日に変わる状態における、日送り機構、月送り機構の構造を示す部分平面図（その１）である。
【図１６Ａ】本発明のカレンダ機構付き時計の実施形態において、１１月３０日から１２月１日に変わる状態において、小の月月末送りつめが月末歯と接触した状態を示す部分拡大平面図である。
【図１７】本発明のカレンダ機構付き時計の実施形態において、１１月３０日から１２月１日に変わる状態における、日送り機構、月送り機構の構造を示す部分平面図（その２）である。
【図１７Ａ】本発明のカレンダ機構付き時計の実施形態において、１１月３０日から３１日に変わる状態において、小の月月末送りつめが月末歯と接触して、今まさに３１日に変わる寸前の状態を示す部分拡大平面図である。
【図１８】本発明のカレンダ機構付き時計の実施形態において、１１月３０日から１２月１日に変わる状態における、日送り機構、月送り機構の構造を示す部分平面図（その３）である。
【図１８Ａ】本発明のカレンダ機構付き時計の実施形態において、１１月３０日から日車が回転して３１日表示した状態を示す部分拡大平面図である。
【図１９】本発明のカレンダ機構付き時計の実施形態において、１１月３０日から１２月１日に変わる状態における、日送り機構、月送り機構の構造を示す部分平面図（その４）である。
【図１９Ａ】本発明のカレンダ機構付き時計の実施形態において、日送りつめの日送り部が日車の歯部と接触し、かつ、月末歯が月送りレバーの爪部に接触して、月送りレバーが回転を始める状態を示す部分拡大平面図である。
【図２０】本発明のカレンダ機構付き時計の実施形態において、１１月３０日から１２月１日に変わる状態における、日送り機構、月送り機構の構造を示す部分平面図（その５）である。
【図２０Ａ】本発明のカレンダ機構付き時計の実施形態において、月末歯が月送りレバーを介して月車を回転させて、今まさに１２月１日に変わる寸前の状態を示す部分拡大平面図である。
【図２１】本発明のカレンダ機構付き時計の実施形態において、１１月３０日から１２月１日に変わる状態における、日送り機構、月送り機構の構造を示す部分平面図（その６）である。
【図２２】本発明のカレンダ機構付き時計の実施形態において、１１月３０日から１２月１日に変わる状態における、日送り機構、月送り機構の構造を示す部分平面図（その７）である。
【図２３】本発明のカレンダ機構付き時計の実施形態において、１１月３０日から１２月１日に変わる状態における、日送り機構、月送り機構の構造を示す部分平面図（その８）である。
【図２４】本発明のカレンダ機構付き時計の実施形態において、１１月３０日から１２月１日に変わる状態における、日送り機構、月送り機構の構造を示す部分平面図（その９）である。
【図２５】本発明のカレンダ機構付き時計の実施形態において、文字板の３時方向に日窓を配置した構成で、１０月３０日を表示している状態におけるコンプリートを示す平面図である。
【図２６】本発明のカレンダ機構付き時計の実施形態において、カレンダ機構の構成を示す概略ブロック図である。
【図２７】本発明のカレンダ機構付き時計の第１の実施の形態において、機械式時計で構成したムーブメントを裏蓋側から見たときの構造を示す概略平面図である。
【図２８】本発明のカレンダ機構付き時計の第２の実施の形態において、電子時計で構成したムーブメントを裏蓋側から見たときの構造を示す概略平面図である。
【符号の説明】
【０１２６】
１００  ムーブメント
１０２  地板
１０４  文字板
１１０  巻真
１１６  きち車
１２０  おしどり
１２２  かんぬき
１２４  かんぬき押え
１６６  日の裏車
１７０  てんぷ規正レバー
１８０  筒車
２１０  日回し車
２１２  日送り爪
２２０  日車
２２６  日車歯部
２４０  月車
２４８  月カム
２６５  第１日回し中間車
２６６  第２日回し中間車
２７０  月送りレバー
２８２  小の月月末送りレバー
２８６  小の月月末送りつめ
２８８  月末歯
３２０  香箱車
３２５  二番車
３２６  三番車
３３０  がんぎ車
３４０  てんぷ
３４２  アンクル
４４２  四番車
４４６  分車
【図１】
2010127822.tif 000003
【図２】
2010127822.tif 000004
【図３】
2010127822.tif 000005
【図４】
2010127822.tif 000006
【図５】
2010127822.tif 000007
【図６】
2010127822.tif 000008
【図７】
2010127822.tif 000009
【図８】
2010127822.tif 000010
【図９】
2010127822.tif 000011
【図１０】
2010127822.tif 000012
【図１１】
2010127822.tif 000013
【図１２】
2010127822.tif 000014
【図１３】
2010127822.tif 000015
【図１４】
2010127822.tif 000016
【図１５】
2010127822.tif 000017
【図１６】
2010127822.tif 000018
【図１６Ａ】
2010127822.tif 000019
【図１７】
2010127822.tif 000020
【図１７Ａ】
2010127822.tif 000021
【図１８】
2010127822.tif 000022
【図１８Ａ】
2010127822.tif 000023
【図１９】
2010127822.tif 000024
【図１９Ａ】
2010127822.tif 000025
【図２０】
2010127822.tif 000026
【図２０Ａ】
2010127822.tif 000027
【図２１】
2010127822.tif 000028
【図２２】
2010127822.tif 000029
【図２３】
2010127822.tif 000030
【図２４】
2010127822.tif 000031
【図２５】
2010127822.tif 000032
【図２６】
2010127822.tif 000033
【図２７】
2010127822.tif 000034
【図２８】
2010127822.tif 000035